(57)【要約】  ベースとして標準的な円錐形状の面に重ね合わされた１６次多項式で規定された形状から構成される自由形状累進多焦点前面を有する新しい種類の多焦点レンズが説明されている。レンズの中心領域は、遠見視力のために最適化され、同時に、レンズの残りは、近見視力のために最適化される。結果として得られる自由形状偶数次多項式非球面は、今日の回折多焦点設計とは異なり平滑である。さらに、このレンズ設計は、屈折矯正手術および白内障手術の両方に適する。【選択図】図１２
2016502430.tif 000002
【特許請求の範囲】
【請求項１】
少なくとも改善された遠焦点および近焦点を実現するように最適化された自由形状累進多焦点光学部品を備える、患者の視力を改善するための挿入可能なレンズ。
【請求項２】
前記レンズ光学部品を眼内に固定するためのハプティックをさらに備える、請求項１に記載のレンズ。
【請求項３】
前記光学部品が、ベースとして円錐形状を有し、１６次の偶数次多項式で規定された形状が、前記ベースとしての円錐形状に重ね合わされている、請求項１に記載のレンズ。
【請求項４】
前記光学部品が、偶数次非球面形状を有する、請求項１に記載のレンズ。
【請求項５】
前記偶数次非球面形状が、ベースとして円錐形状を有し、１６次の偶数次多項式が、前記ベースとしての円錐形状に重ね合わされている、請求項４に記載のレンズ。
【請求項６】
自由形状累進多焦点光学部品の幾何学形状を最適化するための方法であって、
最適化エンジンに定数およびパラメータを入力するステップと、
最適化出力を生成するステップと、
前記最適化出力を座標生成器に入力ステップと、
多焦点光学部品を旋削するために、前記座標生成器からの出力に従って旋盤を作動させるステップと
を含む方法。
【請求項７】
前記定数が、遠見視力に関する対象距離、近見視力に関する対象距離、前記レンズの所望の中心厚、前記レンズの所望の縁厚、前記レンズの所望の光学直径、および前記レンズの前記光学部品の所望の後面曲率を含む、請求項７に記載の方法。
【請求項８】
前記変数が、非球面を記述する２つ以上の定数を含む、請求項７に記載の方法。
【請求項９】
前記変数が、１６次多項式を規定するために必要とされる８つの定数を含む、請求項７に記載の方法。
【請求項１０】
メリット関数が、前記最適化エンジンのための入力である、請求項７に記載の方法。
【請求項１１】
前記最適化出力が、前記レンズの光学面および光学幾何学形状を記述する２１の定数である、請求項７に記載の方法。
【請求項１２】
１３の定数が、前記光学非球面および前記光学幾何学形状を記述する、請求項１１に記載の方法。
【請求項１３】
前記定数のうちの８つが、１６次の偶数次多項式を記述する、請求項１１に記載の方法。
【請求項１４】
前記生成器からの前記出力が、点ごとのＸ座標およびＺ座標を含む、請求項７に記載の方法。
【発明の詳細な説明】
【技術分野】
【０００１】
関連出願の相互参照
本出願は、２０１２年１１月９日に提出された米国特許出願第６１／７２４，８４２号に基づく優先権を主張すると同時に参照によりその全体が本出願に組み込まれる。
【背景技術】
【０００２】
老眼の発症後、ヒトの眼の水晶体は、本またはコンピュータの画面などの、少し離れた対象および対象の近傍に焦点を合わせることを可能にする遠近調節を行うことがもはやできなくなる。この問題に対する最も簡単な解決策は、遠見視力用の眼鏡および近見視力用の老眼鏡をかけることからなる。この問題を解決する洗練された次の手段は、眼鏡において二焦点レンズを使用することであり、これにより、患者は、遠見視力用のレンズを通して真っ直ぐ前方を見ることができ、あるいは、近見視力用の、屈折力が異なる（しかしながら、フレーム上の同じ一片のガラスの一部である）レンズを通して「下を見る」ことができる。
【０００３】
より洗練された２つの他の解決策が実施されてきた。第一には、眼内に挿入され、水晶体の効果を模倣すると考えられるいわゆる偽調節レンズが存在する。効果と患者予後とが、最良に混ぜ合わされてきた。ＦＤＡは、これらのレンズの１つ（クリスタルレンズ）を承認しているものの、多くの医者および患者は、これによって不満足な経験をしており、これは認められていない。
【０００４】
人気を得ている他の手法は、多焦点回折（ＭＦＤ）レンズからなる。これらのレンズが、白内障レンズであること、すなわち、これらは、白内障が進んだ高齢の（通常は６０歳以上の）患者に挿入されることを強調しておくことは非常に重要である。したがって、ＭＦＤレンズは、主に白内障の問題を矯正するために挿入され、また、ヒトの天然の水晶体を摘出することおよびＭＦＤレンズによってこれを置き換えることを伴う。さらに、ＭＦＤレンズは、特定レベルの近見視力を回復させるために設計されるが、これは、本当の遠近調節ではない。このようなレンズは遠近調節を行うものではなく、正確に言えば、レンズの中心において遠見視力のための最良の焦点を形成し、レンズの周辺においてある程度の近見視力をもたらすように設計される。
【０００５】
最も簡単なＭＦＤ白内障レンズは、アルコンによって作られているＲｅｓｔｏｒ（登録商標）レンズである。このレンズは、遠見視力のために設計された直径３ｍｍの中心部を有する。この中心部の外には、１５０年以上前に発明されたフレネルレンズと同様に、レンズ焦点屈折力が異なる複数のリングが彫られた部分が存在する。このリング部分は、患者に近見視力をもたらすために設計される。リング部分の外には、中間視力をもたらすために設計された非球面が存在する。この設計は、単純であり、いくつかの利点および大きな欠点（中間視力および近見視力の効果を得るために開口サイズに依存することなど）を有する。
【０００６】
回折レンズ設計の性能を改善する１つの試みは、ベースとなるＲｅｓｔｏｒ（登録商標）レンズにより多くのリングおよびより多くの屈折力を付加することを含む。これらのレンズでは回折効果が利用されているため、これらは、ある程度まで同じ利点および欠点を有する。
【０００７】
回折レンズ設計における別の興味深い開発は、ＰｈｙｓＩＯＬ（登録商標）回折レンズである。これは、上で説明した回折設計と同様のものであるが、組み合わされた２つの部分（すなわち、中間視力をもたらすための１つの部分および近見視力をもたらすための別の部分）を付加している。理論上は、どんなに患者の瞳孔が大きくても、両方の部分は、眼の瞳孔空間内に存在するはずであり、したがって、患者は、レンズの中心部によってもたらされる遠見視力と共に許容可能な近見視力および中間視力を得るはずである。両方の回折部分は、溝が、レンズの中心の近くでより深く、半径方向距離の増加と共に極めて浅くなるようにアポダイズされる。
【０００８】
異なる原理に基づく、多焦点レンズの別の変種は、Ｏｃｕｌｅｎｔｉｓ（登録商標）によって製造されているレンズである。これは、原理において二焦点眼鏡レンズと同様のものである。すなわち、レンズの光学性能を実現する２つの曲率がレンズに存在する。レンズの下部は、加入屈折力（例えば、２．０ジオプタ（Ｄ））を有し、遠くの対象（遠見視力）に対して最良の焦点を形成する。光学の観点から、このようなレンズは、ＰｈｙｓＩＯＬ（登録商標）レンズと同様の変調伝達関数（ＭＴＦ）およびスルーフォーカス応答をもたらすが、このレンズでは、コマ収差およびグレアが報告されている。
【０００９】
上で説明したように、以前の設計は、白内障手術のみのために作成されていた。従来技術の設計は、理論上はＩＣＬ負レンズにおいて実施され得るが、実際には、このような実施は極めて困難である。
【００１０】
上で説明したマルチピリオド設計は、前面に一組のリングを有し、これらのリングは、傾斜した底面（ブレイジング）と共に数百ミクロンの深さを有する。一般的な眼内コンタクトレンズ（ＩＣＬ）の屈折負レンズは、中心においてほんの１１６ミクロンの厚さであり、縁において厚さは、３３０ミクロンまでしか増加しない。したがって、背面に突き抜けることなく、または結果として得られるレンズの機械的性質を著しく損なうことなくリングを旋削することは、事実上不可能である。眼の生理学的制約に起因して、負レンズの厚さは、負レンズが、一般的にこのようなレンズが眼内に挿入される極めてきつい容積にもはや収まらなくなるため増加させることができない。
【００１１】
マルチピリオド設計の回折リングに伴う第２の問題は、回折リングが、レンズの前面に作られる場合、虹彩に接触することである。眼に入射する光の量に応答して虹彩が開閉する際に虹彩がリングに擦れるときに虹彩を擦傷する深刻な危険がある。このような擦傷は、虹彩色素の粒子が取り除かれることをもたらす可能性があり、このことは、潜在的に、炎症および房水の出口通路の目詰まりという深刻な問題の原因となる。一方、リングが、背面に刻まれ、水晶体に偶然触れる場合、水晶体への損傷が、水晶体内の白内障の形成をもたらす可能性がある。
【００１２】
第三に、回折面は、従来、光を色のそのスペクトルに分割する回折格子として使用されており、色分散をもたらす。回折多焦点ＩＯＬの場合、色分散は、深刻な問題となり、患者は、この効果と共に生き、どうにかしてこれを無視することを学ばなければならない。
【００１３】
二重曲率設計に関しては、製造が複雑であり、また、患者は、このレンズによるコマ収差効果の観察を報告している。また、このようなレンズは、上述した問題の多く（既に極めて薄い負レンズにおいて２つの曲率半径を実現する困難など）を示す。
【００１４】
二重曲率設計に伴う別の深刻な問題は、グレアおよびハローの発生である。これらの問題は、２つの表面が融合する場所における急激な移行およびレンズ屈折力の突然の変化に原因がある。
【発明の概要】
【発明が解決しようとする課題】
【００１５】
必要とされてきたが、これまでに利用不可能であったものは、改善された近見視力を実現するように最適化された、屈折矯正手術および白内障手術の両方に使用され得る改善された多焦点レンズ設計である。本発明は、これらのおよび他の必要性を満たす。
【課題を解決するための手段】
【００１６】
一般的な態様において、本発明は、偶数次非球面形状を有する光学部品を有する自由形状累進多焦点レンズを含む。一部の態様において、偶数次非球面形状を有するものは、ベースが円錐形状（ｂａｓｉｃ  ｃｏｎｉｃ  ｓｈａｐｅ）であって、その上に最大で１６次の偶数次多項式で規定された形状が重ね合わされてベースとしての円錐形状を有する光学部品を含む。このような形状において、光学部品の半径は、半径方向に沿って、レンズの中心から外に移動するにつれて点ごとに異なる。
【００１７】
別の態様において、本発明は、レンズブランクから自由形状累進多焦点光学部品を旋削するために旋盤を制御することができるコマンドを生成するための方法を含む。
【００１８】
さらに別の態様において、本発明は、少なくとも改善された遠焦点および近焦点を実現するように最適化された自由形状累進多焦点光学部品を備える、患者の視力を改善するための挿入可能なレンズを含む。さらに別の態様において、レンズは、レンズ光学部品を眼内に固定するためのハプティックを含む。
【００１９】
さらなる態様において、光学部品は、ベースとなる円錐形状の上に１６次の偶数次多項式で規定される形状が重ね合わされて出来たベースとなる円錐形状を有する。さらなる態様において、光学部品は、偶数次非球面形状を有する。さらなる態様において、偶数次非球面形状は、ベースとなる円錐形状の上に１６次の偶数次多項式が重ね合わされてベースとなる円錐形状を有する。
【００２０】
さらに別の態様において、本発明は、自由形状累進多焦点光学部品の幾何学形状を最適化するための方法であって、最適化エンジンに定数およびパラメータを入力するステップと、最適化出力を生成するステップと、最適化出力を座標生成器に入力するステップと、多焦点光学部品を旋削するために、座標生成器からの出力に従って旋盤を作動させるステップとを含む。
【００２１】
さらに別の態様において、定数は、遠見視力に関する対象距離、近見視力に関する対象距離、レンズの所望の中心厚、レンズの所望の縁厚、レンズの所望の光学直径、およびレンズの光学部品の所望の後面曲率を含んでもよいが、これらに限定されない。
【００２２】
別の態様において、変数は、非球面を記述する２つ以上の定数を含んでもよいが、これらに限定されない。別の態様において、変数は、１６次多項式を規定するために必要とされる８つの定数を含んでもよいが、これらに限定されない。
【００２３】
さらに別の態様において、メリット関数が、最適化エンジンのための入力として選択され、使用されてもよい。
【００２４】
別の態様において、最適化出力は、レンズの光学面および光学幾何学形状を記述する２１の定数であってもよい。一態様において、１３の定数が、光学非球面および光学幾何学形状を記述する。別の態様において、定数のうちの８つが、１６次の偶数次多項式を記述する。
【００２５】
さらに別の態様において、生成器からの出力は、点ごとのＸ座標およびＺ座標を含む。
【００２６】
本発明の他の特徴および利点は、例として本発明の特徴を示す、添付図面に関連して行われる以下の詳細な説明から明らかとなる。
【００２７】
特許または出願書類は、色付きで作成された少なくとも１つの図面を含む。色付きの図面を有するこの特許または特許出願公報の写しは、要求および必要な手数料の支払いに基づいて特許庁により提供される。
【図面の簡単な説明】
【００２８】
【図１】本発明の一実施形態に係る自由形状累進多焦点レンズにおけるレイトレーシングを示す概略図である。
【図２】一構成を有するレンズのレイトレーシングである。対象は、無限遠に配置され、２．５ｍｍの開口が、レンズの前に配置されている。このことは、レンズの中心が遠見視力に最適化されることを可能にする。
【図３】第２の構成を有するレンズのレイトレーシングである。対象は、眼から４００ｍｍ（２．５ジオプタの加入屈折力）の位置に配置され、２．５ｍｍの遮光物が、レンズの前に配置されている。このことは、レンズの周辺が近見視力に最適化されることを可能にする。
【図４】第３の構成を有するレンズのレイトレーシングである。この構成では、開口および遮光物のどちらもレンズの前に存在していない。
【図５Ａ】図２の構成（遠見視力、レンズの中心）に対応する、最適化前のレンズのＦＦＴ  ＭＴＦのグラフ表示である。
【図５Ｂ】図２の構成（遠見視力、レンズの中心）に対応する、最適化後の図５Ａのレンズに関するＦＦＴ  ＭＴＦのグラフ表示である。
【図６Ａ】図３の構成（レンズの周辺、近見視力）に対応する、最適化前のレンズに関するＦＦＴ  ＭＴＦのグラフ表示である。
【図６Ｂ】最適化後の図６Ａのレンズに関するＭＴＦのグラフ表示である。
【図７Ａ】開いた瞳孔（暗所視条件）での遠見視力をシミュレートする、図４の構成（完全レンズを含む）に対応する、最適化前のレンズに関するＦＦＴ  ＭＴＦのグラフ表示である。
【図７Ｂ】最適化後の図７Ａのレンズに関するＭＴＦのグラフ表示である。
【図８Ａ】対象位置（０．２５０ｍ〜２０ｍ）に対しての、５０ｌｐ／ｍｍ（ｌｉｎｅ  ｐａｉｒｓ  ｐｅｒ  ｍｍ）のレンズに関するＦＦＴ  ＭＴＦのグラフ表示である。
【図８Ｂ】対象位置に対しての、５０ｌｐ／ｍｍの図８Ａのレンズに関するＦＦＴ  ＭＴＦのグラフ表示である。
【図９Ａ】開口＝５ｍｍの場合のスルーフォーカス応答のグラフ表示である。
【図９Ｂ】開口＝４．５ｍｍの場合のスルーフォーカス応答のグラフ表示である。
【図９Ｃ】開口＝４．０ｍｍの場合のスルーフォーカス応答のグラフ表示である。
【図９Ｄ】開口＝３．５ｍｍの場合のスルーフォーカス応答のグラフ表示である。
【図９Ｅ】開口＝３．０ｍｍの場合のスルーフォーカス応答のグラフ表示である。
【図９Ｆ】開口＝２．５ｍｍの場合のスルーフォーカス応答のグラフ表示である。
【図９Ｇ】開口＝２．０ｍｍの場合のスルーフォーカス応答のグラフ表示である。
【図１０】最適化された２０．０Ｄの自由形状多焦点レンズのＭＴＦ  ＴＦＲのグラフ表示である。
【図１１】ある範囲の開口に関して近見視力および遠見視力についての一連の像のシミュレーションを示している。
【図１２】自由形状累進多焦点レンズを設計する方法の実施形態を示すブロック図である。
【発明を実施するための形態】
【００２９】
本発明の自由形状累進多焦点屈折レンズは、白内障手術および屈折矯正手術において使用され得る種類の眼内レンズである。その特有の特徴は、２つの年齢層に遠見視力および近見視力の両方をもたらすことを良い選択肢にする。白内障患者は、高齢（６０歳以上）である傾向がある一方で、屈折矯正手術は、より若い患者（その３０代および４０代）においてより一般的である。
【００３０】
一実施形態において、本発明は、自由曲面または累進面を有する、屈折のみのレンズである。このレンズ設計は、従来技術の屈折型多焦点レンズの単純な球面または円錐面（その光学特性は、球面レンズの場合は曲率半径などの１つの数のみによって、または、非球面レンズの表面に関しては半径および円錐定数などの２つの数によって記述され得る）に比べてより複雑な表面である。
【００３１】
本発明の実施形態において、自由形状多焦点レンズは、ベースとして円錐体の面（ｂａｓｅ  ｃｏｎｉｃ  ｓｕｒｆａｃｅ）を有し、その上に、最大で１６次を含む偶数次多項式によって記述される表面が置かれる。このような表面は、この表面に関して曲率半径の測定が試みられた場合、曲率半径が、レンズの中心から半径方向外側に向かって点ごとに異なることが発見されるという事実を強調するために「偶数次非球面」、「累進面」、または「自由曲面」と呼ばれる。しかしながら、それでもこのようなレンズは、方位角において対称である。
【００３２】
図１は、本発明の一実施形態に係る自由形状累進多焦点レンズ１００におけるレイトレーシングを示す概略図であり、この場合、レンズの前面は、偶数次非球面である。この実施形態において、レンズの前面は、ベースに曲率半径および円錐定数によって記述されるベースとしての円錐形状を有し、その上に、１６次の偶数次多項式が重ね合わされる。結果として得られる表面は、平滑で屈折のみのものである。レンズは、「３／４図」で示されており、３Ｄおよび断面の両方が見えるようになっている。
【００３３】
この種類のレンズは、手作業または単純なコンピュータアプリケーション（マイクロソフト社によって販売されているエクセル（登録商標）など）では設計することができない。その代わりに、図１に示されているようなレンズを作るために必要とされる計算は、一般的には、レイトレーシングソフトウェアプログラム（Ｒａｄｉａｎ  Ｚｅｍａｘ，ＬＬＣによって販売されているＺｅｍａｘまたはＳｙｎｏｐｓｉｓ（登録商標）によって販売されているＣｏｄｅ  Ｖ（登録商標）など）によって実行される。実行される特定の計算は、例えば、「大域的最適化」またはモンテカルロ技術を含んでもよい。
【００３４】
一実施形態において、レンズは、３つの異なる構成において同時に設計され、最適化される。本発明者らは、最良の遠見視力、最良の近見視力、および特定のレンズ屈折力のための最良のレンズ全体の設計をもたらすためにこのような最適化が必要であることを発見した。例えば、ソフトウェアプログラムは、ソフトウェアプログラムによってシミュレートされる、模型眼（ＩＳＯ１１９７９−２の眼模型など）を用いたレンズのパラメータを求めるように設定される。この処理は、標準的なモデルであるＩＳＯレンズモデルにとって好適であり、また、品質目的のために、製造されたレンズを測定するために使用される。
【００３５】
所望の自由形状レンズの設計パラメータは、３つの異なる構成に入力を与え、次に、これらを上で説明したモンテカルロ技術などの方法を用いてシミュレートし、最適化することによって確立される。３つの構成のそれぞれにおいて最適なレンズ設計を求めること、したがって、３つの構成のすべてに関して設計を最適化することは、広範囲のレンズ屈折力にわたる近見視力、中間視力、および遠見視力をもたらすのに最良の光学特性をレンズに与える許容可能な妥協点をもたらすことが発見された。当業者ならば、レンズ屈折力に言及するとき、意味されているのは、レンズのベースの屈折力であり、これは、特定の視覚障害を矯正するためにレンズの眼鏡士によって選択されることを理解するであろう。
【００３６】
図２には、上で説明した最適化の構成１が示されている。図２は、遠見視力のためにレンズを最適化するシミュレーションのレイトレーシング結果である。このシミュレーションにおいて、対象は、無限遠に配置され、特定の瞳孔直径または眼をシミュレートする開口が、レンズの前に配置される。この構成において、開口は、直径２．５ｍｍの円形開口部を有する。無限遠にある対象から放射される光線は、模型眼の角膜を通過し、その中心の２．５ｍｍのみを通ってレンズに入射する。これにより、一般的には遠見視力のための補正の大部分を行う、レンズの中心を最適化することが可能になる。これは、明るい日中の光において患者に存在する視覚条件（明所視条件）をシミュレートし、この場合、患者の瞳孔の開き具合は、一般的に小さく、２〜３ｍｍのオーダーであり、患者は、鮮明な遠見視力を有する必要がある。このシミュレーションにおいて、対象から放射される光線は、軸線上および２．５度の傾斜の両方において放射される。
【００３７】
図３には、上で説明した最適化の構成２が示されている。このシミュレーションにおいて、対象は、近見視力および２．５ジオプタ（１０００ｍｍ／４００ｍｍ）の加入屈折力をシミュレートするために眼から４００ｍｍの位置に配置されている。構成１の開口の代わりに、構成１の開口と同じ直径を有する遮光物が、レンズの前に配置される。遮光物は、これに当たるあらゆる光線を遮光し、２．５ｍｍの直径を有する中心領域の外でレンズに当たる光線のみがレンズを通って進むことを可能にする。このシミュレーションは、レンズの周辺を最適化する。
【００３８】
図４には、上で説明した最適化の構成３が示されている。このシミュレーションにおいて、光は、構成１のように無限遠から放射されるが、レンズの前には、開口および遮光物のどちらも存在していない。図４に示されているように、レンズの全表面が、光線によって照明される。すべての光学性能関数（例えば、ＭＴＦ、スポットサイズ、およびスルーフォーカス応答など）が、この構成に関しても計算される。
【００３９】
上で説明した構成のすべてにおいて、光は、ゼロ度の入射角（光線とレンズの法線との間の角度）および２．５度の傾斜（この場合、眼窩の縁において網膜に到達する）の両方においてレンズに放射される。
【００４０】
次に、レンズ最適化処理について説明する。一般的な実施形態において、マイナスレンズ（例えば、−３．００Ｄのベースの屈折力を有するレンズなど）（負レンズとしても知られている）は、近眼を矯正する屈折矯正手術において標準的に使用される。当業者ならば、同じ最適化処理が、白内障除去後に患者の視力を矯正するために使用され得るようなプラスレンズ（例えば、＋１２．００Ｄのベースの屈折力を有するレンズなど）に対して実行されてもよいことを理解するであろう。
【００４１】
ネガティブレンズの前面は、最適化を受ける自由形状偶数次非球面を有するように設計されてもよい。この表面のすべての幾何学的パラメータ（例えば、ベース面の曲率半径およびその円錐定数に加えて、１６次の偶数次多項式の８つの項（合計で１０のパラメータ））が、変数に変換され、ソフトウェアは、構成１（遠見視力）および構成２（近見視力）の両方において同時により良いレンズを作るためにそれらを変更することが可能である。構成３に言及して上で説明したシミュレーションは、最適化には関与せず、構成１および構成２の最適化の最終結果および最終的には、完成した最適化されたレンズの検査を行うために実行される。
【００４２】
最適化を受ける唯一の他の変数は、像面の距離である。したがって、レンズの背面およびさらにはレンズの中心厚は、定数であると考えられる。このように、合計で１１の幾何学的パラメータが、レンズを最適化するためにソフトウェアによって変更されてもよい。
【００４３】
何が良いレンズを構成するかについての知識は、数十の引数の行を含むメリット関数としてコード化される。引数の行のそれぞれは、レンズの光学特性（例えば、ＭＴＦおよび光路差など）を表し、メリット関数のための高い目標値が与えられる。ソフトウェアは、これらのパラメータの現在値を計算し、目標値からそれを引く。様々な変数およびパラメータに割り当てられた個々の重みが掛けられた、現在値と目標値との間の差のすべての和であるＲＭＳ（２乗平均平方根）値が計算されるが、これは、メリット関数の現在値である。ソフトウェアプログラムは、この値が１１の変数のある組み合わせによって最小化されるまでモンテカルロ法でレンズの１１の変数を変更して、シミュレーションを連続的に実行することによってこの値の最小化を試みることによりシミュレーションを最適化する。一般に、最適化処理は、レンズに対する数百万の変更を必要とし、基本的に、最小のメリット関数を有する設計を発見するために数百万の異なるレンズ設計を試す。ほとんどの場合、合理的に最適化されたレンズを作るためには、１千万の事例の実行で十分である。
【００４４】
ここで説明されている処理は、負レンズおよび正レンズの両方を最適化するために使用され得る。２０．０Ｄの白内障レンズの設計に適用された最適化処理の例が示される。この例において、特別な修正を加えた、市販のＺｅｍａｘソフトウェアが、レンズを設計するために使用された。レンズの各表面は、球面または非球面からの偏差の多項式展開によって記述される回転対称多項式非球面によって規定される。偶数次非球面は、非球面性を記述するために動径座標の均等な屈折力のみを使用し、これにより、回転対称性をもたらす。
【００４５】
別の実施形態において、円柱成分を含むより一般的な表面がさらに設計されてもよく、この場合、多項式の奇項および偶項の両方が使用されてもよい。さらに別の実施形態において、最大で４８０の多項式項を含む拡張非球面が、これらのレンズを設計するためにさらに使用されてもよい。
【００４６】
この例において、レンズの各表面は、一般論として以下の方程式によって記述され得る。
【数１】
2016502430.tif 000003
【００４７】
この方程式の項は、以下の意味を有する。
【００４８】
ｚ＝表面サグ
【００４９】
ｃ＝１／Ｒは、表面曲率であり、但し、Ｒは、表面曲率半径である。
【００５０】
ｒ２＝ｘ２＋ｙ２は、表面動径座標の２乗である。
【００５１】
ｋは、円錐定数であって、双曲線に関しては−１未満であり、放物線に関しては−１であり、球面の楕円０に関しては−１〜０であり、楕円体に関してはゼロよりも大きい。
【００５２】
α１〜α８は、偶数次非球面係数であり、非球面に多項式を重ね合わせるために使用される。すべてのアルファがゼロの場合、上記の方程式は、標準的な非球面を記述し、さらにｋ＝０の場合、この方程式は、標準的な球面になることに留意されたい。
【００５３】
曲率半径（Ｒ）、円錐定数（ｋ）、および８つのアルファパラメータは、Ｚｅｍａｘソフトウェアプログラムにおいて変数として設定され、１つの表面につき合計で１０の変数またはレンズの背面および前面に関して２０の変数が与えられる。さらにレンズの中心厚が、変数として設定されてもよく、これにより、可能性のある変数の総数は２１に増加する。
【００５４】
加えて、いくつかの構成が、上で説明したように、Ｚｅｍａｘソフトウェアプログラムにおいて設定されてもよく、この場合、光源と模型眼に挿入されるレンズとの間の距離および他のパラメータ（模型眼の瞳孔直径など）が変更される。ＬｉｏｕおよびＢｒｅｎｎａｎ模型眼もしくはＩＳＯ模型眼または任意の他の適切な模型眼が、最適化処理を実行するシミュレーションを設定する際に使用されてもよい。この例では、ＩＳＯ模型眼が使用されている。
【００５５】
表１に示されている以下の例では、４つの構成が形成されている。表の２行目は、レンズから光源（トレースされる光線の源）までの距離が５００ｍｍから１Ｅ１０ｍｍ（＝１Ｅ７メートル、すなわち、１０，０００ｋｍ（本質的に無限遠））まで変更されていることを示している。表の３行目では、模型眼の最後の表面から像平面までの距離が、構成１において変数として設定され、他の構成は、同じ値を「ピックアップ」し、この結果、すべての構成において、この距離が同じになるようになっている。表の４行目は、瞳孔の半径であり、構成１および構成３は、暗所視条件に設定されて、瞳孔直径が、５ｍｍ（２×２．５ｍｍ）に開いていること、一方、構成２および構成４は、明所視条件に設定されて、瞳孔直径が、３ｍｍ（２×１．５ｍｍ）であることを示している。
【００５６】
【表１】
2016502430.tif 000004
【００５７】
上で説明した２１のパラメータが、変数として設定され、メリット関数が、レンズの性能を最適化する仕方に関してレイトレーシングソフトウェアに指示するためにＺｅｍａｘソフトウェアプログラムを用いて構成される。
【００５８】
多くのパラメータが、何が満足に機能するレンズ（すなわち、遠見視力および近見視力の最良の組み合わせを実現するレンズ）を構成するかについて記述するために使用されてもよく、メリット関数に含まれる。この例では、ＭＴＦパラメータに対してかなりの重みが与えられている。さらに、ストレールレシオ、円内エネルギー、および波面誤差などの他のパラメータが使用されてもよい。以下の表２は、メリット関数の例を示しており、各行は以下で詳細に説明される。
【００５９】
【表２】
2016502430.tif 000005
【００６０】
以下は、上記の表の各列の項目の説明である。
【００６１】
オペレータ番号：メリット関数のオペレータ番号およびその４つのキャラクター名。これらは、オペレータであって、その値が、レンズがどの程度満足に機能するかを記述するオペレータである。
【００６２】
タイプ：オペレータのタイプは、この例ではその４つのキャラクター名と同一である。
【００６３】
サンプリング：どれくらい多くの光線が瞳孔においてサンプリングされるかを記述するために、いくつかのオペレータ（ＭＴＦＡなど）によって使用される。
【００６４】
波長：光波長
【００６５】
フィールド：１は、光がゼロ度で法線面に入射することを意味する。
【００６６】
周波数：ＭＴＦＡが計算される空間周波数。本例では、５０ｌｐ／ｍｍが使用されたが、他の値が使用されてもよい。
【００６７】
グリッド：これは、ソフトウェアプログラムが計算を実行する仕方を制御する、Ｚｅｍａｘソフトウェアプログラムの内部パラメータである。
【００６８】
目標：これは、Ｚｅｍａｘが求めるように指示される、特定のオペレータのそれぞれに関する目標値である。例えば、ＥＦＬＸおよびＥＦＬＹは、５０ｍｍの目標に設定される。これは、この例のレンズが２０ジオプタ（１０００ｍｍ／５０ｍｍ＝２０Ｄ）のレンズであることを意味する。
【００６９】
重み：これは、このパラメータの相対的重要性である。例えば、ＥＦＬＸ、ＥＦＬＹに関する重みは、１０００に設定されており、より多く寄与する。他のパラメータは、より低い重みを有し、このことは、それらが最適化されるレンズにとって相対的に重要でないことを示す。
【００７０】
値：この列は、２１の変数の現在値を所与として各オペレータに関する現在値を与える。例えば、ＥＦＬＸ値は、５０．０１５７４であり、全域メリット関数の０．０１４７８１６６％のみに寄与している。
【００７１】
寄与率：最後の列には、メリット関数への各オペレータの寄与が記載されている。理想的には、「値」の列に列挙されている値は、可能な限り「目標」の列の値に近くなり、この結果、寄与は低減されるべきである。Ｚｅｍａｘソフトウェアプログラムは、すべてのオペレータの寄与の２乗の和を最小化する、２１の変数の値を選択する。
【００７２】
内部的に、Ｚｅｍａｘソフトウェアプログラムは、上で説明したオペレータからメリット関数の数学的記述を構成するが、これは、以下の方程式によって示される。
【数２】
2016502430.tif 000006
【００７３】
但し、Ｗｉは、オペランド「ｉ」の重みであり、Ｖｉは、オペランドの現在値であり、Ｔｉは、目標値であり、添字「ｉ」は、オペランド番号、すなわち、メリット関数のスプレッドシートにおけるその列番号を示している。和の添字「ｉ」は、メリット関数のすべてのオペランド上を走る。明らかに、重みＷｉは、特定のオペランドに関してゼロに設定された場合、メリット関数の値に影響を及ぼさない。
【００７４】
次に、上記の表２に示されているメリット関数の行について説明する。
【００７５】
行６：球面収差を記述する第１１のゼルニケ係数が含まれているが、その重みはゼロである。このことは、それがここでは情報のみのためのものであることを意味する。このため、Ｚｅｍａｘソフトウェアプログラムは、レンズが最適化されたときにその値を報告するものの、最適化処理では直接使用されず、したがって、レンズ設計の最適化には必要ない。
【００７６】
行７および行８：ＥＦＬＸおよびＥＦＬＹ：Ｘ方向およびＹ方向における有効焦点距離。さらに、ＥＦＬＸおよびＥＦＬＹの両方の平均であるＥＦＦＬが使用されてもよい。このことは、Ｚｅｍａｘソフトウェアプログラムが、矯正屈折力を有するレンズを設計することを可能にする。
【００７７】
行９：ＭＴＦＡ：すべての方位角に関する平均ＭＴＦ。このパラメータは、高い目標値と共に５０ｌｐ／ｍｍの周波数に設定される。他の周波数および他の重み値が使用されてもよい。この例では、このＭＴＦＡの重みは、５００に設定され、構成１の部分である。さらに、ＭＴＦＳおよびＭＴＦＴなどの同様のＭＴＦオペレータが使用されてもよい。
【００７８】
行１１：ＣＯＮＦ２：表２における、この行より下の行は、新しいＣＯＮＦパラメータが発見されるまで、第２の構成に関するオペレータを記述している。この例では、ブランクの行の前の、１０００の重みを有する行１２のＭＴＦＡが発見されると、関数は、ＣＯＮＦ３にジャンプする。
【００７９】
４つの構成すべてに関するＭＴＦＡが、それぞれの目標値および重みに関して設定された後、レンズの縁厚値が設定される。これは、以下のオペレータによって制御される。
【００８０】
行１９：ＥＴＧＴ：超過縁厚。このパラメータは、Ｚｅｍａｘソフトウェアプログラムに、結果として得られるレンズが薄くなり過ぎないようにレンズ厚を制御させる。
【００８１】
行２０：ＥＴＬＴ：未満縁厚。このパラメータは、Ｚｅｍａｘソフトウェアプログラムに厚過ぎないレンズを作らせる。
【００８２】
行２１：ＥＴＶＡ：縁厚値。この例では、Ｚｅｍａｘソフトウェアプログラムは、行１９および行２０において縁厚を報告しなかった。これは、プログラムが、これらの制約を満たすレンズを作ったためである。したがって、ＥＴＶＡは、ここでは単に、現在の縁厚値を使用者に知らせている。その重みがゼロであり、したがって、最適化に関与しないことに留意されたい。
【００８３】
行２２〜行３１：これらの行は、Ｚｅｍａｘソフトウェアプログラムの標準的な「デフォルトメリット関数」を使用し、プログラムが光路差誤差を最小化することを可能にする。これは、レイトレーシングにおいて使用される標準的な技術であり、これらのデフォルトメリット関数オペレータは、上で説明したオペレータに付加される。
【００８４】
このメリット関数および前に設定された２１の変数が実装されて、レイトレーシングＺｅｍａｘソフトウェアプログラムは、２１の変数を変更して上に記載したメリット関数ＭＦ２を計算するためにそれ自身の独自のアルゴリズムを使用する。プログラムは、レンズの設計者がこれを停止させるまで変数を変更してＭＦ２の新しい値を検査し続けるように設定されてもよいし、あるいは、プログラムは、変数の変更が、非常に小さな、内部制御された数よりも大きな、ＭＦ２の変更値をもはや生成しなくなったら自動的に停止するように設定されてもよい。
【００８５】
次に図５Ａを参照すると、最適化処理の開始時における、構成１（２．５ｍｍの開口、したがって、レンズの中心のみの照明および遠見視力に関する最適化を可能にする）に関するＭＴＦが示されている。レンズのＭＴＦは、青色で示されており、黒色で示されている回折限界曲線に重ね合わされており、つまるところ、レンズは、この小さな開口において遠見視力に関して回折制限されている。
【００８６】
図５Ｂ）は、１千万の事例の最適化処理を実行した後のＭＴＦを示している。一番上の黒色の曲線は、回折限界であり、青色の曲線は、軸上光に関するＭＴＦであり、２つの緑色の曲線は、２．５度の光に関する矢状方向および接線方向のＭＴＦである。最適化後の、レンズのＭＴＦは、それでもやはり、明所視条件（小さな瞳孔、レンズの中心のみを通って進む光）に関してほとんど回折制限されている。
【００８７】
図６Ａは、最適化処理の開始時における、構成２（光はレンズの周辺のみに当たり、近見視力に関して最適化される）に関するＭＴＦを示している。近見視力に関する性能としては、極めて不十分である。低い回折限界は、レンズの前に遮光物を含むことによって発生するアーティファクトである。
【００８８】
図６Ｂは、１千万の事例の最適化処理を実行した後のＭＴＦを示している。同様に、一番上の黒色の曲線は、回折限界であり、青色の曲線は、軸上光に関するＭＴＦであり、２つの緑色の曲線は、２．５度の光に関する矢状方向および接線方向のＭＴＦである。ＭＴＦは、遠見視力の場合に比べてかなり低くいが、それでも５０ｌｐ／ｍｍにおいて０．２を上回っている。この例のＭＴＦは、当初は極めて不十分であるが、最適化後は近見視力に関して良い改善を示している。
【００８９】
図７Ａは、最適化処理の開始時における、構成３（光はレンズ全体に当たり、開いた瞳孔（暗所視条件）で遠見視力をシミュレートする）に関するＭＴＦを示している。
【００９０】
図７Ｂは、１千万の事例の最適化処理を実行した後のレンズのＭＴＦを示している。結果として得られたレンズのＭＴＦは、図５Ｂのレンズに比べて低下しているものの、それでも５０ｌｐ／ｍｍにおいて０．３８の妥当な値である。比較すると、ヒトの眼は、同じ空間周波数において０．１である。
【００９１】
図８Ａ〜図８Ｂは、対象位置（２５０ｍｍ〜２０メートル）の関数としての、構成３（完全レンズ）に関するＦＦＴ  ＭＴＦを示している。遠見視力（約１２メートル超）に関して、ＭＴＦが、ほぼ一定の約０．３５である（図８Ａ）ことに留意されたい。２５０ｍｍ〜３メートルの範囲にある対象に関するＭＴＦを示す図８Ｂは、近見視力に関してこのレンズが４００ｍｍで０．１６のＭＴＦ値を生成していることを示している。
【００９２】
図９Ａ〜図９Ｇは、構成３（完全レンズ）に関してＭＴＦ「スルーフォーカス応答」（ＴＦＲ）が、像位置によってどのように変化するか示している。図９Ａは、５ｍｍの完全開口に関するＴＦＲ×フォーカスシフトを示しており、その他の図では、開口が、図９Ｇにおいてわずか２ｍｍに達するまで段階的に０．５ｍｍずつ小さくされている。これらの図は、開口が小さくされたときにＴＦＲピーク幅が、本質的に同じままであることを示しており、多焦点加入力が、開口に大きく依存しないことを示している。予想したように、ＭＴＦ  ＴＦＲのピーク高さは、開口が小さくなるに従って高くなっており、このことは、収差からのより小さな寄与を示している。
【００９３】
以下は、上記の表１および表２を参照しながら説明した処理を用いて２０Ｄのベースの屈折力を有するレンズを設計するために実行された最適化の例である。この例では、以下のパラメータが求められた。
【００９４】
前面半径＝ＲＦ＝１４．６９１８９７６２ｍｍ。
【００９５】
前面円錐＝ｋＦ＝３３．７７６６４１７６。
【００９６】
背面半径＝ＲＢ＝−１４．６９１８９７６２ｍｍ。
【００９７】
背面円錐＝ＫＢ＝３３．７７６６４１７６。
【００９８】
中心厚＝ｔｃ＝１．２１７ｍｍ。
【００９９】
縁厚＝０．３７２ｍｍ。
【０１００】
直径＝５．０ｍｍ。
【０１０１】
この例において、最適化における１つの制約は、対称なレンズを作ることであったため、前面は、背面と同一である。このような構成は、レンズの製造および手術中の、医者によるレンズの挿入に対して利点をもたらす。例えば、レンズの製造中に、作業者は、自分が加工しているのが、レンズのどちらの面であるかを覚えておく必要がない。執刀医および患者にとっては、どちらの面も同一であるため、レンズを逆さに挿入する危険性がない。このようなレンズが好適であるものの、特定の状況下では、前面および背面が異なる他のレンズ設計が必要とされる場合がある。これらの設計も同様に、本発明の様々な実施形態に従って最適化され得る。
【０１０２】
以下は、上記の例示的な２０Ｄのレンズの最適化中に生成されたアルファ係数である。
【０１０３】
α１Ｆ＝−１．７４６９１８７４９Ｅ−３。
【０１０４】
α２Ｆ＝１．２８９１５４１０６６Ｅ−３。
【０１０５】
α３Ｆ＝−２．３９４７３１３１９Ｅ−４。
【０１０６】
α４Ｆ＝−７．３９５６８４８４２Ｅ−６。
【０１０７】
α５Ｆ＝−５．４２８９６６４１６Ｅ−５。
【０１０８】
α６Ｆ＝１．３０９２８２３６６Ｅ−５。
【０１０９】
α７Ｆ＝−７．６０９５８４６４２Ｅ−７。
【０１１０】
α８Ｆ＝−４．８５７７２８１６１Ｅ−８。
【０１１１】
背面の係数に関しては、背面の係数（α１Ｂ〜αｉＢ）は、反対の符号を有する、前面の対応する係数と等しい値を有する。これにより、この例示的なレンズに関して、前面および後面の偶数次非球面多項式は同一となる。
【０１１２】
結果として得られたレンズの品質は、変調伝達関数「スルーフォーカス」応答（ＭＴＦ  ＴＦＲ）を用いて評価されてもよい。図１０は、上記の最適化された例示的な２０Ｄのレンズに関するＭＴＦ  ＴＦＲの関数としての変調伝達関数（ＯＴＦ）のグラフである。このグラフは、このレンズが、広範囲のフォーカスシフトに関して高いＭＴＦを有することを示しており、これは、図１１における文字「Ｅ」のシミュレーションによって示されているような、近見視力から遠見視力までの良質の視力として言い換えられる。これらのシミュレーションは、第１列において、３、４、および５ｍｍの瞳孔直径に関して、光源（Ｅ）が無限遠にあるときの許容可能な像品質を示している。第２列において、光源は、眼の前の２メートルの位置にある（列の項目に示されているように、１メートル／２メートル＝０．５Ｄ）。像品質は、この場合、すべての瞳孔直径に関してより良くなっている。第３列は、光源がレンズの前の１メートルの位置にあるときの、すべての瞳孔開口に関する像品質を示しており、第４列は、光源がレンズの前の６６６ｍｍの位置にある場合に関するものである。最後に、最後の第５列は、すべての瞳孔直径に関して、光源がレンズの前の５００ｍｍの位置にあるときの像品質を示している。この特定のレンズに関する像品質は、この最後の状況において、すなわち、近見視力に関して最良である。遠見視力に関して最良の像品質を生み出すようにレンズを最適化することも可能である。
【０１１３】
先に述べたように、本発明に係る、レンズ設計の最適化は、白内障手術および屈折矯正手術の両方で使用されるレンズの設計に有用である。これに対して、現在利用可能な多焦点設計は、白内障の水晶体を交換するためにしか使用することができず、近眼を矯正するために屈折矯正手術用レンズとして挿入される場合には不十分な選択肢である。
【０１１４】
本発明の様々な実施形態に従って作られるレンズの自由形状累進多焦点（ＦＦＰＭ）面は、一般的な回折型眼内レンズの粗面とは対照的に平滑である。このことは、虹彩が、一般的には水晶体が損なわれていない眼に挿入されるＩＣＬ（屈折矯正手術用レンズ）の前面上をスライドする場合に特に好適である。平滑なＦＦＰＭ面は、前面として設計される場合は虹彩を擦傷せず、あるいは、背面として挿入される場合は水晶体を擦傷しない。さらに、平滑な自由形状累進多焦点面は、ハローおよびグレアまたは患者に視覚障害をもたらし得る、他のウェーバーの法則の光学収差を発生させない。
【０１１５】
ＦＦＰＭレンズ設計は、多焦点視力を実現しながらも、現在利用可能なＩＣＬレンズの生理学的形状を保存している。ヒトの眼の溝または小帯の上部に挿入されるレンズには、極めて小さな余地しかなく、極めて厳格な生理学的制約がある。挿入されるレンズは、水晶体に触れる場合、白内障を発症させる可能性がある。一方、挿入されるレンズが、虹彩の円蓋をあまりに大きくする場合、このことは、閉塞隅角の原因となり、眼圧の増加および緑内障をもたらす可能性がある。
【０１１６】
上で説明したＦＦＰＭ設計は、回折レンズよりも製造が容易である。ＰｈｙｓＩＯＬ（登録商標）レンズに関して、複雑な回折光学素子の間隔、深さ、および「ブレイジング」角度、ならびにアポダイゼーション係数を制御する必要がない。さらに、環状面が、１６次多項式が付加されてベースとなる円錐面を変更することによってこの設計にさらに付加されてもよい。
【０１１７】
また、自由形状累進多焦点面レンズは、遠見視力および近見視力に関する２つの現在の構成よりも多くの構成を有するように設計されてもよい。例えば、それは、遠見視力、中間視力、および近見視力のために、または何らかの他の同様の組み合わせのために設計されてもよい。例えば、遠見視力および中間視力のみまたは中間視力および近見視力のみに最適化されたレンズが設計され、製造されてもよい。また、レンズは、近見視力または遠見視力をより強調するために開口および遮光物に関して他のサイズを有するように設計されてもよい。
【０１１８】
あるいは、ＦＦＰＭレンズは、上で説明した、開口および遮光物の構成を使用せずに再設計されてもよい。例えば、単一の構成が、使用され、メリット関数のみの内部に課される遠見視力および近見視力または遠見視力および中間視力を条件付けてもよい。
【０１１９】
図１０は、最適化されたＦＦＰＭレンズを設計するための、ならびにＦＦＰＭレンズを製造するために結果的に旋盤に供給され得る特定のコマンドおよび座標を生成するための、本発明の一実施形態を構成する方法３００を示す概略図である。本方法は、入力として定数３０５、変数３１０、および選択されたメリット関数または複数のメリット関数３１５をレイトレーシング／最適化エンジン３２０に入力することから始まる。定数３０５は、例えば、遠見視力に関する対象距離、近見視力に関する対象距離、レンズの所望の中心厚、レンズの所望の縁厚、およびレンズの光学部品の所望の後面曲率を含んでもよいが、これらに限定されない。変数３１０は、例えば、非球面を記述するために使用される定数および１６次の偶数次多項式に関する定数を含んでもよいが、これらに限定されない。例えば、２つの定数が、非球面を記述するために必要とされてもよく、また、８つの定数が、１６次の偶数次多項式に必要であってもよい。メリット関数３１５は、一般的には、エンジン３２０上で動作するレイトレーシング／最適化プログラムが、所与のレイトレーシングのうちのどの結果が他の結果よりも良いか、または悪いかを求めることを可能にするために使用される複合メリット関数である。結果は、指定されたメリット関数または複数のメリット関数に依存する。
【０１２０】
エンジン３２０の出力は、一般的には、最適化されたＦＦＰＭレンズの光学面および光学幾何学形状を記述する２１の定数である。これらの定数のうちの１３は、光学非球面および光学幾何学形状を記述する。これらの定数のうちの８つは、１６次多項式を規定するために使用される。これらの出力は、所望のレンズのハプティックスの形状およびレンズの他の幾何学的特性を特定する他の定数と共に生成器３２５に入力される。
【０１２１】
生成器３２５は、完成した最適化されたＦＦＰＭレンズを形成するためにレンズブランクから所望の形状および幾何学形状を旋削するために旋盤３３０によって使用される、点ごとのＸ座標およびＺ座標を生成するためにコンピュータ上で動作する適切なソフトウェアを使用する。
【０１２２】
生成器３２５は、エンジン３２１によって求められた設計パラメータを、ＦＦＰＭレンズの製造に使用される旋盤に伝送され得るＣＮＣコードに変換するために一般的に利用可能なソフトウェアを含む。一実施形態において、生成器は、生成器の機能を実行するようにプロセッサを制御する適切なコマンドを含む独自のプログラミングスクリプトである。また、出力されたＣＮＣコードを旋盤に伝達するようにプロセッサ上で動作するプログラミングスクリプトと相互作用する１つ以上の装置（メモリ、入力、出力、ディスプレイ、およびプリンタ、ならびに通信ポートなど）が用意されてもよい。あるいは、ＣＮＣコードは、ディスクまたは固体記憶装置などの可搬型記憶装置を用いて旋盤に供給されてもよい。
【０１２３】
プログラミングスクリプトは、一方ではレンズの光学特性に関連する光学情報に基づいて、他方ではレンズのハプティックスに関係する幾何学的情報に基づいて眼内レンズを記述するＣＮＣコードを計算する能力を有する。プログラミングスクリプトは、上で説明したような市販の光学設計Ｚｅｍａｘソフトウェアプログラムを用いて計算される光学情報に依存する。これは、生成器３２５自体は、光学計算を実行しないし、Ｚｅｍａｘソフトウェアプログラムによって提供された光学設計入力を修正しないためである。
【０１２４】
眼内レンズの光学特性を記述する光学パラメータは、エンジン３２０からエクスポートされ、テキストファイルを用いて入力として生成器３２５に供給される。生成器は、この光学情報を数値座標（ＣＮＣコード）に変換し、これらと、眼内レンズのハプティックスに関係する幾何学的情報とをマージし、幾何学的に平滑な移行部が２つのレンズ領域をつなぐことを確実にする。
【０１２５】
上で説明した処理が、プロセッサ、入力装置、出力装置、通信ポート、およびメモリを有するコンピュータ上で実行されるときに、説明した処理を実行するようにコンピュータを制御するソフトウェアに組み込まれることが理解されるであろう。コンピュータは、特定のタスクを実行するために用意された、適切なソフトウェアを用いてプログラムされた汎用コンピュータであってもよい。あるいは、コンピュータは、説明したタスクのみを実行するように特別に設計されてもよい。さらに、説明したプログラムは、カスタムソフトウェアもしくは場合によっては市販のソフトウェアまたは両方の組み合わせに組み込まれてもよい。
【０１２６】
本発明のいくつかの特定の形態について示し、説明してきたが、本発明の精神および範囲から逸脱することなく様々な修正がなされ得ることは明らかであろう。
【図１】
2016502430.tif 000007
【図２】
2016502430.tif 000008
【図３】
2016502430.tif 000009
【図４】
2016502430.tif 000010
【図５Ａ】
2016502430.tif 000011
【図５Ｂ】
2016502430.tif 000012
【図６Ａ】
2016502430.tif 000013
【図６Ｂ】
2016502430.tif 000014
【図７Ａ】
2016502430.tif 000015
【図７Ｂ】
2016502430.tif 000016
【図８Ａ】
2016502430.tif 000017
【図８Ｂ】
2016502430.tif 000018
【図９Ａ】
2016502430.tif 000019
【図９Ｂ】
2016502430.tif 000020
【図９Ｃ】
2016502430.tif 000021
【図９Ｄ】
2016502430.tif 000022
【図９Ｅ】
2016502430.tif 000023
【図９Ｆ】
2016502430.tif 000024
【図９Ｇ】
2016502430.tif 000025
【図１０】
2016502430.tif 000026
【図１１】
2016502430.tif 000027
【図１２】
2016502430.tif 000028
【国際調査報告】
2016502430.tif 000029